(57)【特許請求の範囲】
【請求項１】
設置面から引出し収納自在に設けられたプルアウト水栓と、
前記プルアウト水栓よりも上流側に設けられたバキュームブレーカと、
前記バキュームブレーカと前記プルアウト水栓とを接続する給水路に設けられ、前記給水路内の水流が速いときは前記プルアウト水栓側へ導水し、前記水流が遅いときは排水路側へ導水する排水継手と、
前記排水継手の下流側と前記プルアウト水栓とを接続する可撓性のプルアウトホースと、を備えた水栓装置において、
前記プルアウト水栓の収納時には、前記プルアウト水栓の引出し位置より下方、かつ、前記排水継手より上方の領域内に前記プルアウトホースを保つホース保持手段を設けたことを特徴とする水栓装置。
【請求項２】
前記プルアウトホースを伝わって流下する水を受ける水受けトレイを設けたことを特徴とする請求項１記載の水栓装置。
【請求項３】
前記ホース保持手段を前記水受けトレイに設けたことを特徴とする請求項２記載の水栓装置。
【請求項４】
前記水受けトレイに開設された排水孔から延設されたトレイ排水管を、前記排水継手から延設された排水管に連通させたことを特徴とする請求項２または３記載の水栓装置。
【請求項５】
前記バキュームブレーカからの溢水排水管を前記トレイ排水管に連通させたことを特徴とする請求項４記載の水栓装置。
【発明の詳細な説明】
【技術分野】
【０００１】
本発明は、設置面から引出し自在なプルアウト水栓を有する水栓装置に関する。
【背景技術】
【０００２】
本願発明に関連する従来技術として、温水器と水栓とを接続する配管の途中に、流速が遅い場合には排水する継手を設け、止水時における水栓吐水口からの垂れを防止する構成を備えた「元止め式温水器システム」（例えば、特許文献１参照。）や、プルアウト水栓を備えた「洗髪兼用洗面化粧台」（例えば、特許文献２参照。）などがある。
【０００３】
特許文献１に記載された自動水栓は洗面器に固定された状態で使用するものであるが、この自動水栓を特許文献２に記載されたプルアウト水栓で代替した水栓装置が要請されている。このような構成とする場合、洗面ボウル内の溜水にプルアウト水栓が没したときに、前記溜水が給水源へ逆流するのを確実に防止しなければならない。このため、給水路の上流側にバキュームブレーカを設ける必要がある。
【０００４】
【特許文献１】特許３８３８０６６号公報
【特許文献２】実開昭６３−４５８７４号公報
【発明の開示】
【発明が解決しようとする課題】
【０００５】
プルアウト水栓の上流にバキュームブレーカを設けた場合、プルアウト水栓からの吐水を停止したときに、バキュームブレーカから排水継手までの給水配管中に残存する水が抜けて空気に置換される一方、排水継手からプルアウト水栓までのホースは、その途中の部分が下方に垂れ下がっているため、ホース内に水が残った状態となる。従って、次にプルアウト水栓からの吐水を開始したとき、ホース内の残水と新たに供給された水の圧力とにより、バキュームブレーカから排水継手までの配管中の空気が残水中に圧縮された状態（エア噛み状態）となってプルアウト水栓の吐水口から強い勢いで噴出し、予期せぬ部分を濡らしたり、異音が発生したりすることがある。
【０００６】
本発明が解決しようとする課題は、吐水開始時に吐水口からエア噛み状態の水が噴出したり、異音が発生したりすることのない水栓装置を提供することにある。
【課題を解決するための手段】
【０００７】
本発明の水栓装置は、設置面から引出し収納自在に設けられたプルアウト水栓と、
前記プルアウト水栓よりも上流側に設けられたバキュームブレーカと、
前記バキュームブレーカと前記プルアウト水栓とを接続する給水路に設けられ、前記給水路内の水流が速いときは前記プルアウト水栓側へ導水し、前記水流が遅いときは排水路側へ導水する排水継手と、
前記排水継手の下流側と前記プルアウト水栓とを接続する可撓性のプルアウトホースと、を備えた水栓装置において、
前記プルアウト水栓の収納時には、前記プルアウト水栓の引出し位置より下方、かつ、前記排水継手より上方の領域内に前記プルアウトホースを保つホース保持手段を設けたことを特徴とする。
【０００８】
このような構成とすれば、プルアウト水栓の収納時に、プルアウトホースは、常に、プルアウト水栓より低く、且つ排水継手より高い領域内に保たれるため、止水時にプルアウトホース内に存在する残水は全て排水継手から排出される。従って、次の吐水を開始したときに、エア噛みが発生したり、異音は発生したりすることがなく、吐水初期からスムーズに吐水することができる。
【０００９】
ここで、前記プルアウトホースを伝わって流下する水を受ける水受けトレイを設ければ、プルアウトホースの外周に付着した水が落下して、建物や他の部材などに悪影響を及ぼすのを防止することができる。
【００１０】
この場合、前記ホース保持手段を前記水受けトレイに設ければ、水受けトレイがホース保持機能を兼備するため、部品点数の増加を招くことなく、プルアウトホース内の水を排出することができる。
【００１１】
一方、前記水受けトレイに開設された排水孔から延設されたトレイ排水管を、前記排水継手から延設された排水管に連通させれば、排水経路を構成する配管系統を簡素化することができる。
【００１２】
また、前記バキュームブレーカからの溢水排水管を前記トレイ排水管に連通させれば、排水経路を構成する配管を集約化することができるため、配管系統の簡素化を図ることができる。
【発明の効果】
【００１３】
本発明により、吐水開始時に吐水口からエア噛み状態の水が噴出したり、異音が発生したりすることのない水栓装置を提供することができる。
【発明を実施するための最良の形態】
【００１４】
以下、図面に基づいて、本発明の実施の形態について説明する。図１は本発明の実施の形態である水栓装置を用いたオストメイト流しの概略構成図、図２は図１に示すオストメイト流しの正面図、図３は図２のＸ−Ｘ線における一部省略断面図、図４は図２に示すオストメイト流しを構成する汚物流しの背面図である。
【００１５】
図１〜図３に示すオストメイト流し５０は、オストメイト（人工肛門や人工膀胱の造設者）が排泄物を処理するための設備であり、本実施形態の水栓装置４０は、このオストメイト流し５０における給湯システムの一部を構成している。オストメイト流し５０は、壁面Ｗの床面Ｆ近くに設置されたライニング３５と、ライニング３５の正面に取り付けられた汚物流し１０と、ライニング３５上方の壁面Ｗに設置された鏡キャビネット２５と、を備えている。鏡キャビネット２５の正面にはドア式に開閉可能な鏡扉２５ｍが設けられ、鏡扉２５の正面は全面鏡となっている。
【００１６】
水栓装置４０は、汚物流し１０の背壁上縁部の設置面１０ａから引出し自在に設けられたプルアウト水栓１１と、プルアウト水栓１１よりも上流側に設けられたバキュームブレーカ１２と、バキュームブレーカ１２とプルアウト水栓１１とを接続する給水路１３に設けられた排水継手１４と、排水継手１４の下流側とプルアウト水栓１１とを接続する可撓性のプルアウトホース１５と、を備え、プルアウト水栓１１の引出し位置１１ａより下方、かつ、排水継手１４より上方の領域内においてプルアウトホース１５を屈伸可能に保つホース保持手段である水受けトレイ１６が設けられている。水受けトレイ１６は、前述したホース保持手段として機能するほか、プルアウトホース１５を伝わって流下する水を受ける機能を有している。
【００１７】
図２に示すように、プルアウト水栓１１の左右には、水石鹸吐出ノズル３３、タッチスイッチ２３が設けられている。水石鹸吐出ノズル３３を押圧操作すると吐出口３３ａから水石鹸が吐出し、タッチスイッチ２３を押圧操作するとプルアウト水栓１１からの吐水、止水が行われる。汚物流し１０に投入された排泄物などは排水管路３６および排水ホッパ２０を経由して排水経路２１へ排出される。
【００１８】
図１，図３，図４に示すように、排水継手１４、水受けトレイ１６、ストレーナ付きの止水栓２４などは汚物流し１０の背面側のライニング３５内に配置され、鏡キャビネット２５内には、電磁弁（図示せず）を内蔵した電気温水器２２およびバキュームブレーカ１２などが配置されている。水道管３７に接続された止水栓２４から電気温水器２２に給水管３８が配管され、電気温水器２２からバキュームブレーカ１２に給湯管２７が配管されている。また、水受けトレイ１６に開設された排水孔１６ｃから延設されたトレイ排水管１８を、排水継手１４から延設された排水管２８に連通させ、バキュームブレーカ１２の溢水受け１２ａから配管された溢水排水管１９をトレイ排水管１８に連通させている。排水管２８の下流側は排水ホッパ２０を経由して排水経路２１に接続されている。
【００１９】
次に、図５〜図９に基づいて、ホース収納状態における水栓装置４０の各部分の構造について説明する。図５は水栓装置を構成するバキュームブレーカ及びプルアウト水栓付近の一部切欠側面図、図６は図５に示すバキュームブレーカ及びプルアウト水栓付近の一部切欠平面図、図７は図６のＡ−Ａ線における断面図、図８は図６のＢ−Ｂ線における断面図、図９は図６のＣ−Ｃ線における断面図である。
【００２０】
図５〜図８に示すように、汚物流し１０背面に設けられた水平な保持部材３１上に水受けトレイ１６が取り付けられ、水受けトレイ１６内に載置された円筒状の緩衝部材２９が、汚物流し１０背面から延設されたＬ字状の係止部材３０によって係止されている。水受けトレイ１６の底部１６ｂは汚物流し１０背面から遠ざかる方向に向かって全体的に下り勾配をなし、底部１６ｂの一部には上方に突出した丘状部１６ａが形成されている。水受けトレイ１６の底部１６ｂにおいて、汚物流し１０背面から最も遠くに位置する一方のコーナー部分に排水孔１６ｃが設けられている。溢水排水管１９の下流側が水受けトレイ１６の上方から排水孔１６ｃに接続され、その下流側は排水孔１６ｃの下方においてトレイ排水管１８に連通している。
【００２１】
図５，図６および図９に示すように、バキュームブレーカ１２から延設された給水路１３の下流側は、水受けトレイ１６の側方に配置された排水継手１４に接続され、排水継手１４とプルアウト水栓１１とがプルアウトホース１５で接続されている。排水継手１４は保持部材３１に開設された湾状の係止部３１ａにナット１４ａで固定されている。図６，図８に示すように、プルアウトホース１５の上流側は、保持部材３１に立設された湾状の係止部３１ｂに嵌入され、その下流側は水受けトレイ１６内で「とぐろ」を巻いた状態で屈伸可能に収容されている。また、水受けトレイ１６内のプルアウトホース１５は丘状部１６ａによって保持されている。従って、プルアウト水栓１１を出し入れするときにプルアウトホース１５が屈伸する領域は、常に、プルアウト水栓１１より低く、且つ排水継手１４より高い領域内に保つことができる。
【００２２】
図６，図７に示すように、タッチスイッチ２３内部のスイッチ部２３ａから延設された信号線２６は汚物流し１０の背面側へ配線され、図１に示す電気温水器２２内の電磁弁（図示せず）に接続されている。タッチスイッチ２３を押圧操作すると、前記電磁弁が開閉し、バキュームブレーカ１２への給水、止水が行われる。図９に示すように、排水継手１４は、その内部にＴ字状の流路１４ｓｈ，１４ｔｈ，１４ｖを有する部材であり、水平方向の流路１４ｓｈ，１４ｔｈは、当該流路１４ｓｈ，１４ｔｈと垂直方向の流路１４ｖとの合流部１４ｂに向かってテーパ状に縮径した形状をなし、合流部１４ｂの内径が最も細くなっている。給水路１３内の水流が速いとき、排水継手１４の流路１４ｓｈに流入した水は合流部１４ｂおよび流路１４ｔｈを経由してプルアウトホース１５（プルアウト水栓１１側）へ導水し、水流が遅いときは、流路１４ｓｈ、合流部１４ｂおよび流路１４ｖを経由して排水路２８側へ導水される。また、後述するように、使用後のプルアウトホース１５内の残水が排水継手１４に向かって逆流してきたとき、当該残水は流路１４ｔｈ、合流部１４ｂおよび流路１４ｖを経由して排水路２８側へ導水される。
【００２３】
次に、オストメイト流し５０の使い方について説明する。オストメイト流し５０の使用者（オストメイトなど）は、パウチ内に溜まった排泄物を汚物流し１０に投入した後、水洗スイッチ５１（図２参照）を操作すると、洗浄水供給管５２を経由して汚物流し１０内へ洗浄水が供給され、図３に示す汚物流し１０内のトラップ部１０ｔの溜水１０ｗとともに発生するサイホン作用により排水経路２１へ排出される。使用者がタッチスイッチ２３を押圧操作すると電気温水器２２内の電磁弁（図示せず）が開き、内部に貯留されている温水が、給湯管２７、バキュームブレーカ１２、給水路１３、排水継手１４およびプルアウトホース１５を経由してプルアウト水栓１１から吐出される。
【００２４】
この場合、使用者がプルアウト水栓１１を把持して手前に引くと、水受けトレイ１６内に収容されているプルアウトホース１５が繰り出され、プルアウト水栓１１を設置面１１ａから引き出すことができる。従って、使用者の腹部を洗浄したり、排泄物の後始末をしたりする際に、プルアウト水栓１１から吐出する温水を所望する部分に当てることが可能であり、使い勝手に優れている。また、プルアウトホース１５の上流側にはバキュームブレーカ１２が設けられているため、使用者が誤ってプルアウト水栓１１を汚水流し１０内の溜水１０ｗ中に落とすことがあっても給水設備の水質汚染が生じない。
【００２５】
排泄物の処理、腹部などの洗浄および後始末が終わった後、吐水状態のプルアウト水栓１１をそのまま元の位置に戻すことができるが、タッチスイッチ２３を押圧操作して吐水停止した後にプルアウト水栓１１を元の位置に戻すこともできる。また、プルアウト水栓１１を引き出さずにタッチスイッチ２３を押圧操作しても、プルアウト水栓１１からの吐水、止水が行われるので、両手を洗浄する際に便利である。なお、洗浄の際には水石鹸吐出ノズル３３を押圧操作して吐出口３３ａから吐出する水石鹸を利用することができる。
【００２６】
水栓装置４０においては、プルアウト水栓１１を出し入れするときにプルアウトホース１５が屈伸する領域が、常に、プルアウト水栓１１より低く、且つ排水継手１４より高い領域内に保たれるため、止水時にプルアウトホース１５内に存在する残水は全て排水継手１４内の流路１４ｖを経由して排水管２８から排出される。従って、使用者が次の吐水を開始したときに、エア噛みが発生したり、異音は発生したりすることがなく、吐水初期から極めてスムーズな吐水が得られる。
【００２７】
また、プルアウトホース１５を伝わって流下する水を受ける水受けトレイ１６を設けているため、プルアウトホース１５の外周に付着した水が汚水流し１０背面のライニング３５内などへ落下して、建物や他の部材などに悪影響を及ぼすのを防止することができる。さらに、水受けトレイ１６内の丘状部１６ａをホース保持手段としたことにより、水受けトレイ１６がホース保持機能も兼備することとなるため、部品点数の増加を招くことなく、プルアウトホース１５を所定領域内で屈伸可能に保つことができる。
【００２８】
一方、水受けトレイ１６に開設された排水孔１６ｃから延設されたトレイ排水管１８を、排水継手１４から延設された排水管２８に連通させているため、排水経路を構成する配管系統を簡素化することができる。また、バキュームブレーカ１２からの溢水排水管１９をトレイ排水管１８に連通させているため、排水経路を構成する配管が集約化され、配管系統を更に簡素化することができる。
【００２９】
なお、本実施形態の場合、プルアウトホース１５の屈伸領域において、当該プルアウトホース１５が、常に、プルアウト水栓１１より低く、且つ排水継手１４より高い範囲内に位置するように設定しているが、必ずしもその必要はなく、プルアウト水栓１１が引き出し位置１１ａにある（収納状態）ときのみ、プルアウトホース１５が上記範囲内（プルアウト水栓１１より低く、且つ排水継手１４より高い範囲内）あるようにしてもよい。
【産業上の利用可能性】
【００３０】
本発明の水栓装置は、オストメイト（人工肛門や人工膀胱の造設者）や身体障害者などが使用するオストメイト用トイレなどにおいて広く利用することができる。
【図面の簡単な説明】
【００３１】
【図１】本発明の実施の形態である水栓装置を用いたオストメイト流しの概略構成図である。
【図２】図１に示すオストメイト流しの正面図である。
【図３】図２のＸ−Ｘ線における一部省略断面図である。
【図４】図２に示すオストメイト流しを構成する汚物流しの背面図である。
【図５】図１に示す水栓装置を構成するバキュームブレーカ及びプルアウト水栓付近の一部切欠側面図である。
【図６】図５に示すバキュームブレーカ及びプルアウト水栓付近の一部切欠平面図である。
【図７】図６のＡ−Ａ線における断面図である。
【図８】図６のＢ−Ｂ線における断面図である。
【図９】図６のＣ−Ｃ線における断面図である。
【符号の説明】
【００３２】
１０  汚物流し
１０ａ  設置面
１０ｔ  トラップ部
１０ｗ  溜水
１１  プルアウト水栓
１１ａ  引き出し位置
１２  バキュームブレーカ
１２ａ  溢水受け
１３  給水路
１４  排水継手
１４ｓｈ，１４ｔｈ，１４ｖ  流路
１５  プルアウトホース
１６  水受けトレイ
１６ａ  丘状部
１６ｂ  底部
１６ｃ  排水孔
１８  トレイ排水管
１９  溢水排水管
２２  電気温水器
２３  タッチスイッチ
２３ａ  スイッチ部
２４  止水栓
２５  鏡キャビネット
２５ｍ  鏡扉
２６  信号線
２７  給湯管
２８  排水管
２９  緩衝部材
３０  係止部材
３１  保持部材
３１ａ，３１ｂ  係止部
３３  水石鹸吐出ノズル
３３ａ  吐出口
３５  ライニング
３６  排水管路
３７  水道管
３８  給水管
４０  水栓装置
５０  オストメイト流し
Ｆ  床面
Ｗ  壁面
【図１】
0005029225.tif 000002
【図２】
0005029225.tif 000003
【図３】
0005029225.tif 000004
【図４】
0005029225.tif 000005
【図５】
0005029225.tif 000006
【図６】
0005029225.tif 000007
【図７】
0005029225.tif 000008
【図８】
0005029225.tif 000009
【図９】
0005029225.tif 000010